【手続補正書】
【提出日】平成18年2月20日(2006.2.20)
【手続補正１】
【補正対象書類名】特許請求の範囲
【補正対象項目名】全文
【補正方法】変更
【補正の内容】
【特許請求の範囲】
【請求項１】
バックライト装置内に設けられ、光源光を透過させて所望の輝度分布の光に変換する光学シートの配置方法であって、
面内における第一方向の線膨張係数が、面の法線方向に隣接して配置される光学シートとの関係において伸長量が特に問題となってくる所定値以上である第一光学シートと、当該第一光学シートの面の法線方向に隣接して配置される第二光学シートを、
前記第一光学シートの前記第一方向と、前記第二光学シートの面内方向のうち線膨張係数が前記第一光学シートの前記第一方向と近似している方向と、が略同方向となるように、離反可能な状態で配置することを特徴とする光学シートの配置方法。
【請求項２】
バックライト装置内に設けられ、光源光を透過させて所望の輝度分布の光に変換する光学シートの配置方法であって、
反射偏光シートと、当該反射偏光シートとは異なる他の光学シートを、
前記反射偏光シートの透過軸方向と、前記他の光学シートの面内方向のうち線膨張係数が前記反射偏光シートの透過軸方向と近似している方向と、が略同方向となるように、離反可能な状態で面の法線方向に隣接して配置することを特徴とする光学シートの配置方法。
【請求項３】
前記他の光学シートは、プリズムシート、ウェーブシート、拡散シート及びＩＴＯシートからなる群の中から選択される１つであることを特徴とする請求項２に記載の光学シートの配置方法。
【請求項４】
筐体内に光源を敷き詰める工程と、
筐体の開口側であって、光源光を照射する側に、反射偏光シートと、当該反射偏光シートとは異なる他の光学シートを、前記反射偏光シートの透過軸方向と、前記他の光学シートの面内方向のうち線膨張係数が前記反射偏光シートの透過軸方向と近似している方向と、が略同方向となるように、離反可能な状態で面の法線方向に隣接して配置する工程と、
を有することを特徴とするバックライト装置の製造方法。
【請求項５】
前記他の光学シートは、プリズムシート、ウェーブシート、拡散シート及びＩＴＯシートからなる群の中から選択される１つであることを特徴とする請求項４に記載のバックライト装置の製造方法。
【請求項６】
請求項４または５に記載のバックライト装置の製造方法によってバックライト装置を製造する工程と、
当該バックライト装置の光の照射側に液晶パネルを配置する工程と
を有することを特徴とする液晶表示装置の製造方法。
【請求項７】
面内における第一方向の線膨張係数が、面の法線方向に隣接して配置される光学シートとの関係において伸長量が特に問題となってくる所定値以上である第一光学シートと、
当該第一光学シートの面の法線方向に隣接して配置される第二光学シートと、を備えるバックライト装置であって、
前記第一光学シートの前記第一方向と、前記第二光学シートの面内方向のうち線膨張係数が前記第一光学シートの前記第一方向と近似している方向と、が略同方向となるように配置したことを特徴とするバックライト装置。
【請求項８】
反射偏光シートと、
前記反射偏光シートとは異なる光学シートであって、前記反射偏光シートと離反可能な状態で面の法線方向に隣接して配置する他の光学シートと、を備えるバックライト装置であって、
前記反射偏光シートの透過軸方向と、前記他の光学シートの面内方向のうち線膨張係数が前記反射偏光シートの透過軸方向と近似している方向と、が略同方向となるように配置したことを特徴とするバックライト装置。
【請求項９】
請求項７又は８に記載のバックライト装置と、
当該バックライト装置からの光が照射される液晶パネルとを備えたことを特徴とする液晶表示装置。
【手続補正２】
【補正対象書類名】明細書
【補正対象項目名】発明の名称
【補正方法】変更
【補正の内容】
【発明の名称】光学シートの配置方法、バックライト装置又は液晶表示装置の製造方法、バックライト装置、液晶表示装置
【手続補正３】
【補正対象書類名】明細書
【補正対象項目名】００２７
【補正方法】変更
【補正の内容】
【００２７】
本発明は、面内における第一方向の線膨張係数が、面の法線方向に隣接して配置される光学シートとの関係において伸長量が特に問題となってくる所定値以上である第一光学シートと、当該第一光学シートの面の法線方向に隣接して配置される第二光学シートを、前記第一光学シートの前記第一方向と、前記第二光学シートの面内方向のうち線膨張係数が前記第一光学シートの前記第一方向と近似している方向と、が略同方向となるように、離反可能な状態で光学シートを配置するようにした。
また、反射偏光シートと、当該反射偏光シートとは異なる他の光学シートを、前記反射偏光シートの透過軸方向と、前記他のシートの面内方向のうち線膨張係数が前記反射偏光シートの透過軸方向と近似している方向と、が略同方向となるように、離反可能な状態で面の法線方向に隣接して配置するような光学シートの配置方法とした。
さらに、筐体内に光源を敷き詰める工程と、筐体の開口側であって、光源光を照射する側に、反射偏光シートと、当該反射偏光シートとは異なる他のシートを、前記反射偏光シートの透過軸方向と、前記他のシートの面内方向のうち線膨張係数が前記反射偏光シートの透過軸方向と近似している方向と、が略同方向となるように、離反可能な状態で面の法線方向に隣接して配置する工程と、を有するようなバックライト装置の製造方法によれば、高品位なバックライト装置を提供できる。
前記他の光学シートは、例えば、プリズムシート、ウェーブシート、拡散シート及びＩＴＯシートからなる群の中から選択される１つである。
また、前記バックライト装置の製造方法によってバックライト装置を製造する工程と、
当該バックライト装置の光の照射側に液晶パネルを配置する工程と、を有する液晶表示装置の製造方法によれば、高品位な液晶表示装置を提供できる。
また、面内における第一方向の線膨張係数が、面の法線方向に隣接して配置される光学シートとの関係において伸長量が特に問題となってくる所定値以上である第一光学シートと、当該第一光学シートの面の法線方向に隣接して配置される第二光学シートと、を備えるバックライト装置であって、前記第一光学シートの前記第一方向と、前記第二光学シートの面内方向のうち線膨張係数が前記第一光学シートの前記第一方向と近似している方向と、が略同方向となるように配置するようにした。
また、反射偏光シートと、前記反射偏光シートとは異なる光学シートであって、前記反射偏光シートと離反可能な状態で面の法線方向に隣接して配置する他の光学シートと、を備えるバックライト装置であって、前記反射偏光シートの透過軸方向と、前記他の光学シートの面内方向のうち線膨張係数が前記反射偏光シートの透過軸方向と近似している方向と、が略同方向となるように配置するようにした。
そして、前記バックライト装置と、当該バックライト装置からの光が照射される液晶パネルとを備えた液晶表示装置とした。
【手続補正４】
【補正対象書類名】明細書
【補正対象項目名】００２８
【補正方法】変更
【補正の内容】
【００２８】
上記のような構成にすることにより、第一光学シート又は反射偏光シートにおいて、線膨張係数が大きい第一方向又は透過軸方向の熱による伸長が大きく、隣接する他の光学シートと静電気によって密着するような状況でも、各光学シートにシワを形成することを防止できる。
【手続補正５】
【補正対象書類名】明細書
【補正対象項目名】００２９
【補正方法】変更
【補正の内容】
【００２９】
また、第一方向又は透過軸方向に大きな線膨張係数を有するという特徴を有する第一光学シート又は反射偏光シートが、隣接する他の光学シートと静電気によって密着するような状況でも、各光学シートにシワを形成することを防止できる。